(57)【要約】【課題】ユーザが放電電極に触れることを防ぎつつ、十分な量のイオンが送出される空気調和機、を提供する。【解決手段】空気調和機は、通風路２０を形成するダクト２２と、通風路に配置され、放電によりイオンを発生する針状の放電電極４１を有し、ダクト２２に着脱可能なイオン発生装置２６と、イオン発生装置２６に設けられ、放電電極４１を保護するための電極保護カバー６１とを備える。電極保護カバー６１は、イオン発生装置２６がダクト２２から取り外されている時に放電電極４１を保護する取り外し状態と、イオン発生装置２６がダクト２２に取り付けられている時に放電電極４１を通風路に露出させる装着状態との間で変化可能なように設けられる。【選択図】図１１
2015162354.tif 000002
【特許請求の範囲】
【請求項１】
通風路を形成するダクトと、
前記通風路に配置され、放電によりイオンを発生する針状の放電電極を有し、前記ダクトに着脱可能なイオン発生装置と、
前記イオン発生装置に設けられ、前記放電電極を保護するためのカバー体とを備え、
前記カバー体は、前記イオン発生装置が前記ダクトから取り外されている時に前記放電電極を保護する第１状態と、前記イオン発生装置が前記ダクトに取り付けられている時に前記放電電極を前記通風路に露出させる第２状態との間で変化可能なように設けられる、空気調和機。
【請求項２】
前記ダクトは、前記ダクトへの前記イオン発生装置の装着に連動して前記カバー体を移動させ、前記カバー体を前記第１状態から前記第２状態に変化させるカバー移動機構部を有する、請求項１に記載の空気調和機。
【請求項３】
前記カバー移動機構部は、さらに、前記ダクトからの前記イオン発生装置の取り外しに連動して前記カバー体を移動させ、前記カバー体を前記第２状態から前記第１状態に変化させる、請求項２に記載の空気調和機。
【請求項４】
前記イオン発生装置は、前記放電電極が設けられ、前記カバー体を揺動可能に支持する外装ケースをさらに有し、
前記カバー体は、前記ダクトに向けて突出する突出部を有し、
前記カバー移動機構部は、前記ダクトに形成され、前記突出部が嵌合される溝部であり、
前記ダクトへの前記イオン発生装置の装着時、前記突出部が前記溝部に案内されることによって、前記カバー体が揺動し、前記第１状態から前記第２状態に変化する、請求項２または３に記載の空気調和機。
【請求項５】
前記イオン発生装置は、前記放電電極が設けられ、前記ダクトとともに前記通風路を形成する外装ケースをさらに有し、
前記カバー体は、前記第２状態において、前記通風路を区画形成する前記外装ケースの内壁と面一となるように配置される、請求項１から４のいずれか１項に記載の空気調和機。
【請求項６】
前記第１状態における前記カバー体と前記放電電極の先端部との間の距離は、前記第２状態における前記カバー体と前記放電電極の先端部との間の距離よりも小さい、請求項１から５のいずれか１項に記載の空気調和機。
【発明の詳細な説明】
【技術分野】
【０００１】
この発明は、一般的には、空気調和機に関し、より特定的には、針状の放電電極を保護するためのカバー体を備えた空気調和機に関する。
【背景技術】
【０００２】
たとえば、特開２００４−５５３９７号公報には、作業者が放電針に触れてしまうことを防止しつつ、放電針からのイオンの生成効率が低下することを防止することを目的とした、除電装置および放電針ユニットが開示されている（特許文献１）。特許文献１に開示された除電装置では、装置本体の前面に、高電圧が印加された状態でイオンを発生させる放電針を備えた放電針ユニットが装着されている。この放電針ユニットにおいては、放電針を囲繞するようにリブが設けられており、放電針の先端はリブから奥まって配置されている。
【先行技術文献】
【特許文献】
【０００３】
【特許文献１】特開２００４−５５３９７号公報
【発明の概要】
【発明が解決しようとする課題】
【０００４】
一般的に、密閉された部屋、事務所または会議室などに多人数が長時間、滞在すると、煙草の煙、埃、浮遊菌などによって、室内の汚染微粒子が増加する。この場合、人体にとって好ましくない有害物質が空気中に発散するため、このような有害物質の濃度を低く抑えることを目的に、イオン発生機が利用されている。イオン発生機から室内に送出されるイオン（プラスイオン・マイナスイオン）によって、空気中に浮遊する細菌を除去したり、ウイルスを不活化したりできる。
【０００５】
イオン発生機には、高電圧が印加される針状の放電電極を備え、尖鋭化された放電電極の先端部で放電現象を引き起こし、イオンを発生させるイオン発生装置が用いられる。イオン発生装置により放電を長期間に渡って繰り返し行なうと、放電電極に汚れが生じたり劣化したりするため、イオン発生装置をイオン発生機に対して着脱可能なユニットとして設けることにより、イオン発生装置のメンテナンスや交換を行なうことができる。
【０００６】
このような着脱式のイオン発生装置においては、ユーザが尖鋭化された放電電極の先端部に触れることを防ぐため、放電電極を保護するためのカバー体を設ける必要がある。一般的に、カバー体は、ユーザが放電電極の先端部に容易に触れることができないように放電電極に近接して設けられる。
【０００７】
しかしながら、このような構成では、放電電極とカバー体との間で生じた電界により放電が発生したり、放電電極の表面に付着した異物とカバー体とが架橋してしまう場合がある。これらの場合、イオン発生装置においてイオンの発生が滞り、十分な量のイオンが室内に送出されない懸念が生じる。
【０００８】
そこでこの発明の目的は、上記の課題を解決することであり、ユーザが放電電極に触れることを防ぎつつ、十分な量のイオンが送出される空気調和機を提供することである。
【課題を解決するための手段】
【０００９】
この発明に従った空気調和機は、通風路を形成するダクトと、通風路に配置され、放電によりイオンを発生する針状の放電電極を有し、ダクトに着脱可能なイオン発生装置と、イオン発生装置に設けられ、放電電極を保護するためのカバー体とを備える。カバー体は、イオン発生装置がダクトから取り外されている時に放電電極を保護する第１状態と、イオン発生装置がダクトに取り付けられている時に放電電極を通風路に露出させる第２状態との間で変化可能なように設けられる。
【００１０】
また好ましくは、ダクトは、ダクトへのイオン発生装置の装着に連動してカバー体を移動させ、カバー体を第１状態から第２状態に変化させるカバー移動機構部を有する。
【００１１】
また好ましくは、カバー移動機構部は、さらに、ダクトからのイオン発生装置の取り外しに連動してカバー体を移動させ、カバー体を第２状態から第１状態に変化させる。
【００１２】
また好ましくは、イオン発生装置は、放電電極が設けられ、カバー体を揺動可能に支持する外装ケースをさらに有する。カバー体は、ダクトに向けて突出する突出部を有する。カバー移動機構部は、ダクトに形成され、突出部が嵌合される溝部である。ダクトへのイオン発生装置の装着時、突出部が溝部に案内されることによって、カバー体が揺動し、第１状態から第２状態に変化する。
【００１３】
また好ましくは、イオン発生装置は、放電電極が設けられ、ダクトとともに通風路を形成する外装ケースをさらに有する。カバー体は、第２状態において、通風路を区画形成する外装ケースの内壁と面一となるように配置される。
【００１４】
また好ましくは、第１状態におけるカバー体と放電電極の先端部との間の距離は、第２状態におけるカバー体と放電電極の先端部との間の距離よりも小さい。
【発明の効果】
【００１５】
以上に説明したように、この発明に従えば、ユーザが放電電極に触れることを防ぎつつ、十分な量のイオンが送出される空気調和機を提供することができる。
【図面の簡単な説明】
【００１６】
【図１】この発明の実施の形態１におけるイオン発生機の内部構造を示す側面図である。
【図２】図１中のイオン発生装置の取り外し状態を示す斜視図である。
【図３】図１中のイオン発生装置の装着状態を示す斜視図である。
【図４】図２および図３中のイオン発生装置に設けられた電極保護カバーを示す斜視図である。
【図５】図２中の矢印Ｖに示す方向から見た外装ケースを示す斜視図である。
【図６】図３中の矢印ＶＩに示す方向から見たイオン発生装置の装着状態を示す斜視図である。
【図７】図２中の矢印ＶＩＩに示す方向から見たイオン発生装置の取り外し状態を示す斜視図である。
【図８】イオン発生装置をダクトに装着する工程を示す斜視図である。
【図９】図８中のダクトを挿入口側から見た斜視図である。
【図１０】イオン発生装置をダクトに装着する工程を示す斜視図である。
【図１１】イオン発生装置をダクトに装着する工程を示す斜視図である。
【図１２】イオン発生装置をダクトに装着する工程を示す斜視図である。
【図１３】イオン発生装置をダクトに装着する工程を示す斜視図である。
【図１４】イオン発生装置をダクトに装着する工程を示す斜視図である。
【図１５】イオン発生装置をダクトに装着する工程を示す斜視図である。
【図１６】イオン発生装置をダクトに装着する工程を示す斜視図である。
【図１７】装着状態におけるイオン発生装置およびダクトを示す斜視図である。
【図１８】この発明の実施の形態２におけるイオン発生機において、イオン発生装置の取り外し状態を示す斜視図である。
【図１９】この発明の実施の形態２におけるイオン発生機において、イオン発生装置の装着状態を示す斜視図である。
【図２０】イオン発生装置をダクトに装着する工程を示す斜視図である。
【図２１】図２０中の２点鎖線ＸＸＩで囲まれた範囲を拡大して示す斜視図である。
【図２２】イオン発生装置をダクトに装着する工程を示す斜視図である。
【図２３】イオン発生装置をダクトに装着する工程を示す斜視図である。
【図２４】イオン発生装置をダクトに装着する工程を示す斜視図である。
【図２５】イオン発生装置をダクトに装着する工程を示す斜視図である。
【図２６】この発明の実施の形態３におけるイオン発生機において、イオン発生装置の取り外し状態を示す斜視図である。
【図２７】この発明の実施の形態３におけるイオン発生機において、イオン発生装置の装着状態を示す斜視図である。
【図２８】図２６および図２７中のイオン発生装置から電極保護カバーユニットが取り外された状態を示す斜視図である。
【図２９】図２６および図２７中のイオン発生装置から取り外された電極保護カバーユニットを示す斜視図である。
【図３０】図２９中の２点鎖線ＸＸＸで囲まれた範囲を拡大して示す斜視図である。
【図３１】イオン発生装置をダクトに装着する工程およびイオン発生装置をダクトに対してロックする工程を示す斜視図である。
【図３２】イオン発生装置をダクトに装着する工程およびイオン発生装置をダクトに対してロックする工程を示す斜視図である。
【図３３】イオン発生装置をダクトに装着する工程およびイオン発生装置をダクトに対してロックする工程を示す斜視図である。
【図３４】イオン発生装置をダクトに装着する工程およびイオン発生装置をダクトに対してロックする工程を示す斜視図である。
【発明を実施するための形態】
【００１７】
この発明の実施の形態について、図面を参照して説明する。なお、以下で参照する図面では、同一またはそれに相当する部材には、同じ番号が付されている。
【００１８】
（実施の形態１）
図１は、この発明の実施の形態１におけるイオン発生機の内部構造を示す側面図である。図１を参照して、本実施の形態におけるイオン発生機１００は、プラスイオンＨ＋（Ｈ２Ｏ）ｎ（ｎは０を含まない任意の整数)およびマイナスイオンＯ２−（Ｈ２Ｏ）ｍ（ｍは０を含む任意の整数）を室内に送出し、これらのイオンにより空気中のウイルスを不活性化もしくは死滅させる機能を有する。
【００１９】
まず、イオン発生機１００の全体構成について説明すると、イオン発生機１００は、ケーシング１２と、ケーシング１２に収容されたイオン送出ユニット１４およびイオン送出ユニット１６とを有する。イオン送出ユニット１４およびイオン送出ユニット１６は、それぞれ単独でイオンを室内に向けて送出可能で、本実施の形態では、ケーシング１２の内部で上下方向に積み重なって設けられている。
【００２０】
イオン送出ユニット１４は、シロッコファン２１Ａと、ダクト２２Ａと、イオン発生装置２６Ａとを有し、イオン送出ユニット１６は、シロッコファン２１Ｂと、ダクト２２Ｂと、イオン発生装置２６Ｂとを有する（以下、シロッコファン２１Ａおよびシロッコファン２１Ｂを特に区別しない場合は、シロッコファン２１といい、ダクト２２Ａおよびダクト２２Ｂを特に区別しない場合は、ダクト２２といい、イオン発生装置２６Ａおよびイオン発生装置２６Ｂを特に区別しない場合は、イオン発生装置２６という）。
【００２１】
シロッコファン２１は、室内の空気を取り込み、その空気をダクト２２に向けて送出する。シロッコファン２１Ａとシロッコファン２１Ｂとは、それぞれのファン回転軸が互いに平行となるように設けられている。ダクト２２は、シロッコファン２１に接続されている。ダクト２２は、シロッコファン２１から送出された空気の通風路２０を形成する。イオン発生装置２６は、ダクト２２の経路上に設けられている。イオン発生装置２６は、イオンを発生させ、ダクト２２を流れる空気中にイオンを放出する。
【００２２】
なお、空気を送出するファンとしては、シロッコファンに限られず、たとえば、クロスフローファン（貫流ファン）が用いられてもよい。
【００２３】
イオン発生装置２６は、ダクト２２に対して着脱可能なように設けられている。ダクト２２には、イオン発生装置２６が挿入される挿入口２３が形成されている（ダクト２２Ａでは不図示）。イオン発生装置２６は、挿入口２３に対して一方向にスライド移動することによって着脱される。
【００２４】
本実施の形態では、イオン発生装置２６Ａおよびイオン発生装置２６Ｂが、ダクト２２に対して互いに異なる方向から着脱される。具体的には、イオン発生装置２６Ａは、シロッコファン２１Ａの回転軸に直交する方向（図１中の矢印１０１に示す方向）から着脱される。イオン発生装置２６Ａは、ケーシング１２の上面側から着脱される。イオン発生装置２６Ｂは、シロッコファン２１Ｂの回転軸に平行な方向（図１の紙面に直交する方向）から着脱される。イオン発生装置２６Ｂは、ケーシング１２の側面側から着脱される。
【００２５】
続いて、図１中のイオン発生装置２６の構造について詳細に説明する。図２は、図１中のイオン発生装置の取り外し状態を示す斜視図である。図３は、図１中のイオン発生装置の装着状態を示す斜視図である。
【００２６】
図２中には、図１中のイオン発生機１００から取り外されている時のイオン発生装置２６が示され、図３中には、図１中のイオン発生機１００に取り付けられた時のイオン発生装置２６が示されている。
【００２７】
図２および図３を参照して、イオン発生装置２６は、外装ケース３１と、放電電極４１Ａ，４１Ｂ，４１Ｃ，４１Ｄ（以下、特に区別しない場合には、放電電極４１という）と、誘導電極（対向電極）４２とを有する。
【００２８】
放電電極４１は、先端が尖鋭化された針形状を有する。放電電極４１Ａ〜４１Ｄは、同一平面内に設けられている。放電電極４１Ａ〜４１Ｄは、各電極の中心軸が互いに平行となるように配置されている。放電電極４１Ａと放電電極４１Ｂとは、電極の中心軸に直交する方向に距離を設けて並んでいる。放電電極４１Ｃと放電電極４１Ｄとは、電極の中心軸に直交する方向に距離を設けて並んでいる。放電電極４１Ａと放電電極４１Ｃとは、電極の中心軸に平行な方向に距離を設けて互いに対向して配置されている。放電電極４１Ｂと放電電極４１Ｄとは、電極の中心軸に平行な方向に距離を設けて互いに対向して配置されている。放電電極４１Ａの中心軸と、放電電極４１Ｃの中心軸とが、互いに同一直線上に位置し、放電電極４１Ｂの中心軸と、放電電極４１Ｄの中心軸とが、互いに同一直線上に位置する。
【００２９】
誘導電極４２は、放電電極４１Ａと放電電極４１Ｂとの間に配置されている。誘導電極４２は、放電電極４１Ａおよび放電電極４１Ｂから互いに等しい距離となる位置に設けられ、放電電極４１Ｃおよび放電電極４１Ｄから互いに等しい距離となる位置に設けられている。
【００３０】
放電電極４１Ａと放電電極４１Ｃとは、互いに異なる極性のイオンを発生させ、放電電極４１Ｂと放電電極４１Ｄとは、互いに異なる極性のイオンを発生させる。放電電極４１Ａと放電電極４１Ｂとは、互いに異なる極性のイオンを発生させ、放電電極４１Ｃと放電電極４１Ｄとは、互いに異なる極性のイオンを発生させる。放電電極４１Ａに正または負の高電圧が印加され、放電電極４１Ｂに負または正の高電圧が印加されると、これら放電電極と誘導電極４２との間にコロナ放電が発生し、正イオンおよび負イオンが発生する。同様に、放電電極４１Ｃに負または正の高電圧が印加され、放電電極４１Ｄに正または負の高電圧が印加されると、これら放電電極と誘導電極４２との間にコロナ放電が発生し、負イオンおよび正イオンが発生する。
【００３１】
放電電極４１Ａ〜４１Ｄは、上記配置に限られず、たとえば、放電電極４１Ｃおよび放電電極４１Ｄが、図中の位置からこれら電極の中心軸に直交する方向にスライドした位置に設けられてもよい。また、本実施の形態では、対向配置された放電電極を２組設ける構成（放電電極４１Ａと放電電極４１Ｃとの組および放電電極４１Ｂと放電電極４１Ｄとの組）としたが、対向配置された放電電極を１組設ける構成としてもよいし、並列配置された放電電極を１組設ける構成としてもよい。また、放電電極４１Ａ〜４１Ｄの中心軸が互いに平行でない場合であっても、全体的に見て、放電電極４１Ａおよび放電電極４１Ｂと放電電極４１Ｃおよび放電電極４１Ｄとが、後述する空間３８を挟んで互いに向かい合う構成であれば、対向配置されているといえる。なお、本発明において、放電電極の数や配置は特に限定されない。
【００３２】
外装ケース３１は、イオン発生装置２６の外観をなす筺体形状を有する。外装ケース３１は、図１中のダクト２２に形成された挿入口２３に挿入可能な形状を有する。外装ケース３１は、樹脂材料により一体に成形されている。
【００３３】
外装ケース３１は、その構成部位として、基板収容部３２および基板収容部３３と、リブ状部３４，３５，３６とを有する。外装ケース３１は、基板収容部３２、リブ状部３４、基板収容部３３およびリブ状部３６からなる枠形状を有する。外装ケース３１は、基板収容部３２、リブ状部３４、基板収容部３３およびリブ状部３６により四辺が構成される矩形の枠形状を有する。
【００３４】
基板収容部３２および基板収容部３３は、互いに距離を隔てて平行に配置されている。基板収容部３２は、基板収容部３３よりも大きい容積を有する。リブ状部３４およびリブ状部３６は、互いに距離を隔てて平行に、かつ、基板収容部３２および基板収容部３３と直交するように配置されている。互いに対向する基板収容部３２および基板収容部３３の一方端同士が、リブ状部３４によって連結されている。互いに対向する基板収容部３２および基板収容部３３の他方端同士が、リブ状部３６によって連結されている。
【００３５】
リブ状部３５は、リブ状部３４およびリブ状部３６と平行に配置されている。リブ状部３５は、リブ状部３４とリブ状部３６との間で基板収容部３２および基板収容部３３を互いに連結している。
【００３６】
リブ状部３４〜３６は、基板収容部３２から、放電電極４１Ａおよび放電電極４１Ｂの中心軸方向に沿って直線状に延びている。リブ状部３４〜３６は、基板収容部３３から、放電電極４１Ｃおよび放電電極４１Ｄの中心軸方向に沿って直線状に延びている。
【００３７】
基板収容部３２、リブ状部３４、基板収容部３３およびリブ状部３６により囲まれた外装ケース３１の内側には、空間３８が形成されている。空間３８には、図１中のダクト２２を流れる空気が通風される。すなわち、空間３８は、ダクト２２とともに空気が通風される通風路２０を形成する。
【００３８】
基板収容部３２には、放電電極４１Ａおよび放電電極４１Ｂが設けられた図示しない基板と、放電電極４１Ａ〜４１Ｄに印加するための高電圧を発生させる図示しない高電圧発生回路部とが収容されている。基板収容部３３には、放電電極４１Ｃおよび放電電極４１Ｄが設けられた図示しない基板が収容されている。
【００３９】
放電電極４１Ａおよび放電電極４１Ｂは、基板収容部３２からその外部に向けて延出している。放電電極４１Ｃおよび放電電極４１Ｄは、基板収容部３３からその外部に向けて延出している。基板収容部３２，３３から延出する先の放電電極４１Ａ〜４１Ｄの先端部は、空間３８に配置されている。放電電極４１Ａおよび放電電極４１Ｃの先端部は、リブ状部３４とリブ状部３５との間の空間３８に配置され、放電電極４１Ｂおよび放電電極４１Ｄの先端部は、リブ状部３５とリブ状部３６との間の空間３８に配置されている。
【００４０】
図４は、図２および図３中のイオン発生装置に設けられた電極保護カバーを示す斜視図である。
【００４１】
図２から図４を参照して、本実施の形態におけるイオン発生機１００は、電極保護カバー６１Ａ，６１Ｂ，６１Ｃ，６１Ｄ（以下、特に区別しない場合には、電極保護カバー６１という）をさらに有する。電極保護カバー６１は、イオン発生装置２６に設けられている。電極保護カバー６１は、放電電極４１を保護するために設けられている。電極保護カバー６１Ａ、電極保護カバー６１Ｂ、電極保護カバー６１Ｃおよび電極保護カバー６１Ｄは、それぞれ、放電電極４１Ａ、放電電極４１Ｂ、放電電極４１Ｃおよび放電電極４１Ｄを保護するために設けられている。
【００４２】
電極保護カバー６１は、イオン発生装置２６がダクト２２から取り外されている時に放電電極４１を保護する取り外し状態（図２中に示す状態）と、イオン発生装置２６がダクト２２に取り付けられている時に、放電電極４１をダクト２２により形成される通風路２０に露出させる装着状態（図３中に示す状態）との間で変化可能なように設けられている。
【００４３】
電極保護カバー６１は、全体として、一方向に平板状に延在する形状を有する。電極保護カバー６１は、その構成部位として、支持部６３および突出部６２を有する。支持部６３は、一方向に平板状に延在する電極保護カバー６１の一方端に設けられ、後述する外装ケース３１の軸部５２に嵌め合わせ可能な形状を有する。突出部６２は、一方向に平板状に延在する電極保護カバー６１の他方端に設けられ、イオン発生装置２６がダクト２２に取り付けられた時にダクト２２に向けて突出する。
【００４４】
電極保護カバー６１には、貫通孔６４が形成されている。貫通孔６４は、平板状の電極保護カバー６１を貫通するように形成されている。貫通孔６４は、電極保護カバー６１の一方端および他方端の間に設けられている。なお、貫通孔６４は、必ずしも形成されなくてもよい。
【００４５】
図５は、図２中の矢印Ｖに示す方向から見た外装ケースを示す斜視図である。図２から図５を参照して、電極保護カバー６１は、取り外し状態と装着状態との間で変化可能なように外装ケース３１に支持されている。
【００４６】
本実施の形態では、電極保護カバー６１が、取り外し状態と装着状態との間で揺動可能なように外装ケース３１に支持されている。電極保護カバー６１Ａ〜６１Ｄは、リブ状部３４、リブ状部３５およびリブ状部３６のいずれかに揺動可能に設けられている。より具体的には、電極保護カバー６１Ａおよび電極保護カバー６１Ｃが、リブ状部３５に揺動可能に設けられ、電極保護カバー６１Ｂおよび電極保護カバー６１Ｄが、リブ状部３６に揺動可能に設けられている。
【００４７】
外装ケース３１は、その構成部位として、軸形状を有する軸部５２を有する。電極保護カバー６１は、支持部６３が軸部５２に嵌め合わされることによって、外装ケース３１に揺動可能に支持されている。
【００４８】
外装ケース３１には、保護カバー用窪み部５１が形成されている。保護カバー用窪み部５１は、外装ケース３１の外表面から凹む窪み形状を有する。保護カバー用窪み部５１は、電極保護カバー６１の外形に対応する窪み形状を有する。
【００４９】
図６は、図３中の矢印ＶＩに示す方向から見たイオン発生装置の装着状態を示す斜視図である。図７は、図２中の矢印ＶＩＩに示す方向から見たイオン発生装置の取り外し状態を示す斜視図である。
【００５０】
図２から図７を参照して、取り外し状態における電極保護カバー６１とその電極保護カバー６１が保護対象とする放電電極４１の先端部４１ｐとの間の距離は、装着状態における電極保護カバー６１とその電極保護カバー６１が保護対象とする放電電極４１の先端部４１ｐとの間の距離よりも小さい。
【００５１】
電極保護カバー６１の装着状態について説明すると、電極保護カバー６１は、保護カバー用窪み部５１に位置決めされる。電極保護カバー６１は、放電電極４１の中心軸と平行に延在するように位置決めされる。
【００５２】
外装ケース３１は、その構成部位として、保護カバー保持部５３を有する（図５および図６を参照のこと）。保護カバー保持部５３は、電極保護カバー６１が揺動可能に設けられたリブ状部３４、リブ状部３５およびリブ状部３６のいずれかに設けられている。保護カバー保持部５３は、保護カバー用窪み部５１に位置決めされた電極保護カバー６１の他方端を係止可能な爪形状を有する。電極保護カバー６１の他方端が保護カバー保持部５３に係止されることによって、電極保護カバー６１が装着状態に保持されている。
【００５３】
電極保護カバー６１の取り外し状態について説明すると、電極保護カバー６１は、基板収容部３２および基板収容部３３と平行に延在するように位置決めされる。電極保護カバー６１Ａおよび電極保護カバー６１Ｂは、それぞれ、放電電極４１Ａおよび放電電極４１Ｂに対して基板収容部３２の反対側において、基板収容部３２と平行に延在するように位置決めされる。電極保護カバー６１Ｃおよび電極保護カバー６１Ｄは、それぞれ、放電電極４１Ｃおよび放電電極４１Ｄに対して基板収容部３３の反対側において、基板収容部３３と平行に延在するように位置決めされる。
【００５４】
電極保護カバー６１は、放電電極４１の先端部４１ｐに近接して位置決めされる。電極保護カバー６１は、貫通孔６４が放電電極４１の中心軸に沿った直線上に配置されるように位置決めされる。このとき、放電電極４１の先端部４１ｐは、貫通孔６４の内側に位置決めされてもよいし、貫通孔６４の外側に位置決めされてもよい。
【００５５】
外装ケース３１は、その構成部位として、保護カバー保持部５４を有する（図７を参照のこと）。保護カバー保持部５４は、放電電極４１を挟んで軸部５２と対向する位置に設けられている。保護カバー保持部５４は、放電電極４１の先端部４１ｐに近接して位置決めされた電極保護カバー６１の他方端を係止可能な爪形状を有する。電極保護カバー６１の他方端が保護カバー保持部５４に係止されることによって、電極保護カバー６１が取り外し状態に保持される。
【００５６】
図８は、イオン発生装置をダクトに装着する工程を示す斜視図である。図９は、図８中のダクトを挿入口側から見た斜視図である。
【００５７】
図８および図９を参照して、ダクト２２には、挿入口２３が形成されている。イオン発生装置２６は、挿入口２３に対して矢印１１０に示す方向（以下、イオン発生装置２６の挿入方向ともいう）に挿入されることによって、ダクト２２に装着される。イオン発生装置２６は、挿入口２３から矢印１１０に示す方向とは反対方向に引き出されることによって、ダクト２２から取り外される。
【００５８】
本実施の形態におけるイオン発生機１００においては、ダクト２２に、カバー移動用溝部７１Ｅおよびカバー移動用溝部７１Ｆ（以下、特に区別しない場合には、カバー移動用溝部７１という）が設けられている。カバー移動用溝部７１は、ダクト２２へのイオン発生装置２６の装着に連動して電極保護カバー６１を移動させ、電極保護カバー６１を取り外し状態から装着状態に変化させる。カバー移動用溝部７１は、ダクト２２からのイオン発生装置２６の取り外しに連動して電極保護カバー６１を移動させ、電極保護カバー６１を装着状態から取り外し状態に変化させる。
【００５９】
カバー移動用溝部７１は、挿入口２３に対面するダクト２２の表面２２ｂに設けられている。カバー移動用溝部７１は、電極保護カバー６１の突出部６２を嵌め合わせ可能な溝形状を有する。カバー移動用溝部７１は、直線状に延びている。カバー移動用溝部７１は、イオン発生装置２６の挿入方向に対して斜め方向に延びている。カバー移動用溝部７１Ｅおよびカバー移動用溝部７１Ｆは、イオン発生装置２６の挿入方向に直交する方向において互いに間隔を隔てて設けられている。カバー移動用溝部７１Ｅおよびカバー移動用溝部７１Ｆは、両者の間の距離がイオン発生装置２６に挿入方向に沿って徐々に小さくなるように設けられている。
【００６０】
続いて、イオン発生装置２６をダクト２２に装着する工程時、カバー移動用溝部７１により電極保護カバー６１を取り外し状態から装着状態に変化させる様子について説明する。図１０から図１６は、イオン発生装置をダクトに装着する工程を示す斜視図である。図中では、電極保護カバー６１の動きを分かり易くするため、イオン発生装置２６およびダクト２２の断面が示されている。
【００６１】
図１０を参照して、イオン発生装置２６をダクト２２に装着するに際して、まず、外装ケース３１のリブ状部３４を挿入口２３に挿入する。このとき、取り外し状態にある電極保護カバー６１Ａの突出部６２がカバー移動用溝部７１Ｆに嵌合され、取り外し状態にある電極保護カバー６１Ｃの突出部６２がカバー移動用溝部７１Ｅに嵌合される。このとき、保護カバー保持部５４による電極保護カバー６１Ａおよび電極保護カバー６１Ｃの保持が解除される。
【００６２】
図１１および図１２を参照して、イオン発生装置２６を矢印１１０に示す方向に沿ってさらに挿入してゆくと、電極保護カバー６１Ａの突出部６２がカバー移動用溝部７１Ｆに案内されることによって、電極保護カバー６１Ａが、支持部６３を支点にリブ状部３５に近接する方向に揺動し、電極保護カバー６１Ｃの突出部６２がカバー移動用溝部７１Ｅに案内されることによって、電極保護カバー６１Ｃが、支持部６３を支点にリブ状部３５に近接する方向に揺動する。
【００６３】
図１３を参照して、イオン発生装置２６を矢印１１０に示す方向に沿ってさらに挿入してゆくと、電極保護カバー６１Ａの突出部６２がカバー移動用溝部７１Ｆの終端に達し、電極保護カバー６１Ｃの突出部６２がカバー移動用溝部７１Ｅの終端に達する。このとき、電極保護カバー６１Ａおよび電極保護カバー６１Ｃが、リブ状部３５に設けられた保護カバー用窪み部５１に位置決めされる。このとき、電極保護カバー６１Ａおよび電極保護カバー６１Ｃが、保護カバー保持部５３によって保持される。一方、取り外し状態にある電極保護カバー６１Ｂの突出部６２がカバー移動用溝部７１Ｆに嵌合され、取り外し状態にある電極保護カバー６１Ｄの突出部６２がカバー移動用溝部７１Ｅに嵌合される。このとき、保護カバー保持部５４による電極保護カバー６１Ｂおよび電極保護カバー６１Ｄの保持が解除される。
【００６４】
図１４および図１５を参照して、イオン発生装置２６を矢印１１０に示す方向に沿ってさらに挿入してゆくと、電極保護カバー６１Ｂの突出部６２がカバー移動用溝部７１Ｆに案内されることによって、電極保護カバー６１Ｂが、支持部６３を支点にリブ状部３６に近接する方向に揺動し、電極保護カバー６１Ｄの突出部６２がカバー移動用溝部７１Ｅに案内されることによって、電極保護カバー６１Ｄが、支持部６３を支点にリブ状部３６に近接する方向に揺動する。
【００６５】
図１６を参照して、挿入口２３に対するイオン発生装置２６の挿入が完了すると、電極保護カバー６１Ｂの突出部６２がカバー移動用溝部７１Ｆの終端に達し、電極保護カバー６１Ｄの突出部６２がカバー移動用溝部７１Ｅの終端に達する。このとき、電極保護カバー６１Ｂおよび電極保護カバー６１Ｄが、リブ状部３６に設けられた保護カバー用窪み部５１に位置決めされる。このとき、電極保護カバー６１Ｂおよび電極保護カバー６１Ｄが、保護カバー保持部５３によって保持される。
【００６６】
以上の工程によって、電極保護カバー６１Ａ〜６１Ｄが取り外し状態から装着状態に変化する。
【００６７】
なお、詳細な説明は繰り返さないが、イオン発生装置２６をダクト２２から取り外す工程時、上記工程と逆の工程によって、電極保護カバー６１Ａ〜６１Ｄが装着状態から取り外し状態に変化する。
【００６８】
図１７は、装着状態におけるイオン発生装置およびダクトを示す斜視図である。図３および図１７を参照して、本実施の形態では、電極保護カバー６１が、その装着状態において保護カバー用窪み部５１に位置決めされている。このとき、電極保護カバー６１は、通風路２０を区画形成する外装ケース３１の内壁と面一となるように配置されている。より具体的には、電極保護カバー６１Ａおよび電極保護カバー６１Ｃは、通風路２０を区画形成するリブ状部３５の表面と面一となるように配置され、電極保護カバー６１Ｂおよび電極保護カバー６１Ｄは、通風路２０を区画形成するリブ状部３６の表面と面一となるように配置されている。
【００６９】
このような構成によれば、装着状態とされた電極保護カバー６１が通風路２０における空気流れを阻害するということがない。これにより、通風路２０において意図しない圧損や風切り音が発生することを防止できる。
【００７０】
このように構成された、この発明の実施の形態１におけるイオン発生機１００によれば、イオン発生装置２６がダクト２２から取り外されている時、電極保護カバー６１を取り外し状態に変化させることにより、ユーザが放電電極４１に触れることを防止できる。また、イオン発生装置２６がダクト２２に取り付けられている時、電極保護カバー６１を装着状態に変化させることにより、放電電極４１と電極保護カバー６１との間で放電が発生したり、放電電極４１に付着した異物と電極保護カバー６１とが架橋してしまうことを防止できる。これにより、イオン発生機１００から室内に向けて十分な量のイオンを送出することができる。
【００７１】
（実施の形態２）
本実施の形態におけるイオン発生機は、実施の形態１におけるイオン発生機１００と基本的には同様の構造を備える。以下、重複する構造についてはその説明を繰り返さない。
【００７２】
図１８は、この発明の実施の形態２におけるイオン発生機において、イオン発生装置の取り外し状態を示す斜視図である。図１９は、この発明の実施の形態２におけるイオン発生機において、イオン発生装置の装着状態を示す斜視図である。
【００７３】
図１８および図１９を参照して、本実施の形態では、イオン発生装置２６が、実施の形態１における電極保護カバー６１Ａ〜６１Ｄに替えて、電極保護カバー８１Ａ〜８１Ｄ（以下、特に区別しない場合には、電極保護カバー８１という）を有する。電極保護カバー８１は、イオン発生装置２６に設けられている。電極保護カバー８１は、放電電極４１を保護するために設けられている。電極保護カバー８１Ａ、電極保護カバー８１Ｂ、電極保護カバー８１Ｃおよび電極保護カバー８１Ｄは、それぞれ、放電電極４１Ａ、放電電極４１Ｂ、放電電極４１Ｃおよび放電電極４１Ｄを保護するために設けられている。
【００７４】
電極保護カバー８１は、イオン発生装置２６がダクト２２から取り外されている時に放電電極４１を保護する取り外し状態（図１８中に示す状態）と、イオン発生装置２６がダクト２２に取り付けられている時に、放電電極４１をダクト２２により形成される通風路２０に露出させる装着状態（図１９中に示す状態）との間で変化可能なように設けられている。
【００７５】
本実施の形態では、電極保護カバー８１が、取り外し状態と装着状態との間でスライド可能なように外装ケース３１に支持されている。電極保護カバー８１は、イオン発生装置２６の装着方向（図１８中の矢印１１０に示す方向）と平行な方向に沿ってスライド可能に設けられている。電極保護カバー８１Ａおよび電極保護カバー８１Ｃは、リブ状部３４とリブ状部３５との間でスライド可能に設けられ、電極保護カバー８１Ｂおよび電極保護カバー８１Ｄは、リブ状部３５とリブ状部３６との間でスライド可能に設けられている。
【００７６】
外装ケース３１には、カバー案内用溝部８６が設けられている。カバー案内用溝部８６は、リブ状部３４〜３６に設けられている。カバー案内用溝部８６は、イオン発生装置２６の装着方向に沿って直線状に延びて設けられている。電極保護カバー８１の一方端および他方端がカバー案内用溝部８６に嵌め合わされることによって、電極保護カバー８１は、そのスライド方向に沿って案内されている。
【００７７】
電極保護カバー８１は、その取り外し状態において、実施の形態１における電極保護カバー６１と同じ状態に設けられる。
【００７８】
外装ケース３１は、その構成部位として、保護カバー保持部８７ｈおよび保護カバー保持部８７ｉ（以下、特に区別しない場合には、保護カバー保持部８７という）を有する。保護カバー保持部８７ｉは、放電電極４１Ａおよび放電電極４１Ｂの各電極を挟んでその両側のカバー案内用溝部８６に設けられている。保護カバー保持部８７ｈは、放電電極４１Ｃおよび放電電極４１Ｄの各電極を挟んでその両側のカバー案内用溝部８６に設けられている。保護カバー保持部８７は、放電電極４１の先端部４１ｐに近接して位置決めされた電極保護カバー８１の一方端および他方端を係止可能な爪形状を有する。電極保護カバー８１Ａおよび電極保護カバー８１Ｂの一方端および他方端が保護カバー保持部８７ｉに係止されることによって、これら電極保護カバー８１が取り外し状態に保持される。電極保護カバー８１Ｃおよび電極保護カバー８１Ｄの一方端および他方端が保護カバー保持部８７ｈに係止されることによって、これら電極保護カバー８１が取り外し状態に保持される。
【００７９】
電極保護カバー８１は、その装着状態において、基板収容部３２上に重ね合わされている。より具体的には、電極保護カバー８１Ａおよび電極保護カバー８１Ｃが、リブ状部３４とリブ状部３５との間で基板収容部３２上に重ね合わされる。このとき、放電電極４１Ａが、電極保護カバー８１Ａおよび電極保護カバー８１Ｃの貫通孔６４に挿通される。電極保護カバー８１Ｂおよび電極保護カバー８１Ｄは、リブ状部３５とリブ状部３６との間で基板収容部３２上に重ね合わされる。このとき、放電電極４１Ｂが、電極保護カバー８１Ｂおよび電極保護カバー８１Ｄの貫通孔６４に挿通される。
【００８０】
図２０は、イオン発生装置をダクトに装着する工程を示す斜視図である。図２１は、図２０中の２点鎖線ＸＸＩで囲まれた範囲を拡大して示す斜視図である。図中では、イオン発生装置２６の装着時に電極保護カバー８１を移動させるための機構の理解を容易にするために、図１８および図１９中のイオン発生装置２６が簡略化されたイオン発生装置２６´が示されている、
図２０および図２１を参照して、イオン発生装置２６´は、２つの放電電極４１Ａおよび放電電極４１Ｂと、放電電極４１Ａおよび放電電極４１Ｂが設けられる外装ケース３１と、放電電極４１Ａおよび放電電極４１Ｂを保護するための１枚の電極保護カバー８１とを有する。外装ケース３１は、その構成部位として、放電電極４１Ａおよび放電電極４１Ｂが延出する基板収容部３２を有する。
【００８１】
ダクト２２には、挿入口２３が形成されている。イオン発生装置２６´は、挿入口２３に対して矢印１１０に示す方向に挿入されることによって、ダクト２２に装着される。イオン発生装置２６は、挿入口２３から矢印１１０に示す方向とは反対方向に引き出されることによって、ダクト２２から取り外される。
【００８２】
本実施の形態におけるイオン発生機においては、ダクト２２に、当接部８９ｊおよび当接部８９ｋ（以下、特に区別しない場合には、当接部８９という）が設けられている。当接部８９は、ダクト２２へのイオン発生装置２６´の装着に連動して電極保護カバー８１を移動させ、電極保護カバー８１を取り外し状態から装着状態に変化させる。当接部８９は、ダクト２２からのイオン発生装置２６´の取り外しに連動して電極保護カバー８１を移動させ、電極保護カバー８１を装着状態から取り外し状態に変化させる。
【００８３】
当接部８９は、挿入口２３に対面するダクト２２の表面２２ｂに設けられている。当接部８９は、ダクト２２へのイオン発生装置２６´の装着時に電極保護カバー８１と当接可能な突起形状を有する。当接部８９ｊおよび当接部８９ｋは、イオン発生装置２６´の挿入方向において互いに間隔を隔てて設けられている。イオン発生装置２６´の挿入方向から見て、当接部８９ｋは、当接部８９ｊよりも奥まった位置に設けられている。
【００８４】
続いて、イオン発生装置２６´をダクト２２に装着する工程時、当接部８９により電極保護カバー８１を取り外し状態から装着状態に変化させる様子について説明する。図２２から図２５は、イオン発生装置をダクトに装着する工程を示す斜視図である。図２３中には、図２２中の矢印ＸＸＩＩＩに示す方向から見たイオン発生装置２６´およびダクト２２が示され、図２４および図２５中には、図２３と同じ方向から見たイオン発生装置２６´およびダクト２２が示されている。
【００８５】
図２２および図２３を参照して、イオン発生装置２６´をダクト２２に装着するに際して、まず、外装ケース３１に設けられた電極保護カバー８１を挿入口２３に挿入する。このとき、当接部８９ｊが、取り外し状態にある電極保護カバー８１に当接する。
【００８６】
図２４を参照して、イオン発生装置２６´を矢印１１０に示す方向に沿ってさらに挿入してゆくと、電極保護カバー８１は、当接部８９ｊを乗り越えて、当接部８９ｊと当接部８９ｋとの間に位置決めされる。電極保護カバー８１は、当接部８９ｋに押されることによって、外装ケース３１の基板収容部３２に近接する方向にスライド移動する。
【００８７】
図２５を参照して、挿入口２３に対するイオン発生装置２６´の挿入が完了すると、電極保護カバー８１は、外装ケース３１の基板収容部３２上に位置決めされる。このとき、電極保護カバー８１は、当接部８９ｋに係止されることによって、装着状態に保持される。
【００８８】
以上の工程によって、電極保護カバー８１が取り外し状態から装着状態に変化する。なお、イオン発生装置２６´をダクト２２から取り外す工程時、上記工程と逆の工程によって、電極保護カバー８１が装着状態から取り外し状態に変化する。
【００８９】
図２３から図２５を参照して、電極保護カバー８１に、放電電極４１を清掃するための図示しないブラシ部材が設けられてもよい。この場合、ブラシ部材は、電極保護カバー８１が取り外し状態と装着状態との間で移動するのに伴って放電電極４１と接触するように設けられる。一例としては、ブラシ部材は、電極保護カバー８１に形成された貫通孔６４の内壁に設けられる。
【００９０】
このように構成された、この発明の実施の形態２におけるイオン発生機によれば、実施の形態１に記載の効果を同様に奏することができる。
【００９１】
（実施の形態３）
本実施の形態におけるイオン発生機は、実施の形態１におけるイオン発生機１００と基本的には同様の構造を備える。以下、重複する構造についてはその説明を繰り返さない。
【００９２】
図２６は、この発明の実施の形態３におけるイオン発生機において、イオン発生装置の取り外し状態を示す斜視図である。図２７は、この発明の実施の形態３におけるイオン発生機において、イオン発生装置の装着状態を示す斜視図である。
【００９３】
図２６および図２７を参照して、本実施の形態では、イオン発生装置２６が、実施の形態１における電極保護カバー６１Ａ〜６１Ｄに替えて、電極保護カバー９１Ｅおよび電極保護カバー９１Ｆ（以下、特に区別しない場合には、電極保護カバー９１という）を有する。電極保護カバー９１は、イオン発生装置２６に設けられている。電極保護カバー９１は、放電電極４１を保護するために設けられている。電極保護カバー９１Ｅは、放電電極４１Ａおよび放電電極４１Ｂを保護するために設けられ、電極保護カバー９１Ｆは、放電電極４１Ｃおよび放電電極４１Ｄを保護するために設けられている。
【００９４】
電極保護カバー９１は、イオン発生装置２６がダクト２２から取り外されている時に放電電極４１を保護する取り外し状態（図２６中に示す状態）と、イオン発生装置２６がダクト２２に取り付けられている時に、放電電極４１をダクト２２により形成される通風路２０に露出させる装着状態（図２７中に示す状態）との間で変化可能なように設けられている。
【００９５】
図２８は、図２６および図２７中のイオン発生装置から電極保護カバーユニットが取り外された状態を示す斜視図である。図２９は、図２６および図２７中のイオン発生装置から取り外された電極保護カバーユニットを示す斜視図である。図３０は、図２９中の２点鎖線ＸＸＸで囲まれた範囲を拡大して示す斜視図である。
【００９６】
図２６から図３０を参照して、電極保護カバー９１は、長手方向と短手方向とを有する略矩形の平面視の平板形状を有する。
【００９７】
本実施の形態では、電極保護カバー９１が、取り外し状態と装着状態との間で回転可能なように外装ケース３１に支持されている。電極保護カバー９１は、放電電極４１の中心軸に平行な軸を中心に回転可能に設けられている。電極保護カバー９１は、基板収容部３２と基板収容部３３とが対向する方向に沿った軸を中心に回転可能に設けられている。
【００９８】
電極保護カバー９１は、回転シャフト９２を介して外装ケース３１に支持されている。回転シャフト９２は、一方向に延びる軸形状を有する。その一方向に延びる回転シャフト９２の両端には、電極保護カバー９１Ｅおよび電極保護カバー９１Ｆが嵌め合わされている。回転シャフト９２、電極保護カバー９１Ｅおよび電極保護カバー９１Ｆにより、電極保護カバーユニット９０が構成されている。
【００９９】
外装ケース３１には、貫通孔９５が形成されている。貫通孔９５は、基板収容部３３を貫通し、さらに基板収容部３２に達するように形成されている。貫通孔９５は、直線状に延びて形成されている。貫通孔９５は、貫通孔９５と放電電極４１Ａおよび放電電極４１Ｃとの間の距離と、貫通孔９５と放電電極４１Ｂおよび放電電極４１Ｄとの間の距離とが等しくなる位置に形成されている。貫通孔９５に回転シャフト９２の両端が挿入されることによって、電極保護カバー９１は回転可能に設けられている。
【０１００】
回転シャフト９２には、切り欠き部７３が設けられている（図３０を参照のこと）。切り欠き部７３は、基板収容部３３から延出する回転シャフト９２の端部に設けられている。切り欠き部７３は、後述する蓋部材９６の凸部９７が係合可能な切り欠き形状を有する。
【０１０１】
電極保護カバー９１の取り外し状態について説明すると、電極保護カバー９１Ｅは、放電電極４１Ａおよび放電電極４１Ｂに対して基板収容部３２の反対側において、基板収容部３２と平行に延在するように位置決めされる。電極保護カバー９１Ｆは、放電電極４１Ｃおよび放電電極４１Ｄに対して基板収容部３３の反対側において、基板収容部３３と平行に延在するように位置決めされる。電極保護カバー９１Ｅは、放電電極４１Ａおよび放電電極４１Ｂの先端部４１ｐに近接して位置決めされる。電極保護カバー９１Ｆは、放電電極４１Ｃおよび放電電極４１Ｄの先端部４１ｐに近接して位置決めされる。
【０１０２】
電極保護カバー９１Ｅは、その長手方向が放電電極４１Ａと放電電極４１Ｂとが並ぶ方向と一致するように位置決めされる。電極保護カバー９１Ｆは、その長手方向が放電電極４１Ｃと放電電極４１Ｄとが並ぶ方向と一致するように位置決めされる。
【０１０３】
電極保護カバー９１の装着状態について説明すると、電極保護カバー９１は、上記の取り付け状態から９０°回転した状態に設けられる。電極保護カバー９１Ｅは、その長手方向が放電電極４１Ａと放電電極４１Ｂとが並ぶ方向の直交方向に一致するように位置決めされる。電極保護カバー９１Ｆは、その長手方向が放電電極４１Ｃと放電電極４１Ｄとが並ぶ方向の直交方向に一致するように位置決めされる。電極保護カバー９１は、その長手方向が通風路２０における通風方向と一致するように位置決めされる。
【０１０４】
図３１から図３４は、イオン発生装置をダクトに装着する工程およびイオン発生装置をダクトに対してロックする工程を示す斜視図である。
【０１０５】
図３１から図３４を参照して、本実施の形態におけるイオン発生機は、蓋部材９６をさらに有する。蓋部材９６は、ダクト２２に取り付けられたイオン発生装置２６をロックするために設けられている。
【０１０６】
本実施の形態におけるイオン発生機においては、ダクト２２へのイオン発生装置２６のロック時、蓋部材９６の操作を通じて回転シャフト９２が回転することにより、電極保護カバー９１が回転し、取り外し状態から装着状態に変化する。さらに、イオン発生装置２６のロック解除時、蓋部材９６の操作を通じて回転シャフト９２が回転することにより、電極保護カバー９１が回転し、装着状態から取り外し状態に変化する。
【０１０７】
図３１を参照して、イオン発生装置２６をダクト２２に装着するに際して、基板収容部３２および基板収容部３３が挙げた順にダクト２２に収まるようにイオン発生装置２６を挿入口２３に挿入する。
【０１０８】
図３２から図３４を参照して、イオン発生装置２６の脱落を防ぐために、イオン発生装置２６をダクト２２に対してロックする。具体的には、蓋部材９６の凸部９７を回転シャフト９２の端部に設けられた切り欠き部７３に係合させることにより、蓋部材９６を回転シャフト９２に組み付ける。次に、蓋部材９６を９０°回転操作することにより、イオン発生装置２６をダクト２２に対してロックする。このとき、蓋部材９６の操作に伴って、回転シャフト９２が電極保護カバー９１とともに９０°回転する。
【０１０９】
以上の工程によって、電極保護カバー９１Ｅおよび電極保護カバー９１Ｆが取り外し状態から装着状態に変化する。なお、イオン発生装置２６のロックを解除する工程時、上記工程と逆の工程によって、電極保護カバー９１Ｅおよび電極保護カバー９１Ｆが装着状態から取り外し状態に変化する。
【０１１０】
このように構成された、この発明の実施の形態３におけるイオン発生機によれば、実施の形態１に記載の効果を同様に奏することができる。
【０１１１】
なお、実施の形態１〜３では、平板状の電極保護カバー６１，８１，９１について説明したが、放電電極を保護するためのカバー体の形状は、ユーザが放電電極に触れることを防ぐことが可能なものであれば、特に限定されない。一例として、カバー体は、取り外し状態において放電電極の周囲に配置される筒形状を有してもよい。
【０１１２】
また、実施の形態１〜３では、ダクト２２に対するイオン発生装置２６の着脱またはダクト２２に対するイオン発生装置２６のロック・ロック解除に連動させて、電極保護カバー６１，８１，９１を取り外し状態と装着状態との間で移動させる構成について説明したが、両者を連動させる構成は、ここで説明したものに限られない。本発明は、実施の形態１で説明した突出部および溝部による案内機構や、実施の形態２で説明した当接部およびカバー体の当接機構、実施の形態３で説明した軸部材の回転機構に基づいて採用し得る各種の構成を含む。また、たとえば、着脱時におけるイオン発生装置の動きを、カムや歯車、ラックアンドピニオンなどの公知の動力伝達機構を用いて電極保護カバーに伝える構成としてもよい。この際、複数の動力伝達機構を組み合わせて用いてもよい。
【０１１３】
また、実施の形態１〜３では、本発明をイオン発生機に適用した場合を説明したが、これに限られず、除湿機、加湿器、エアコンディショナ、空気清浄機などの空気の状態を調整し、整えるための各種の空気調和機に本発明を適用してもよい。
【０１１４】
本発明の構成および作用効果についてまとめて説明すると、以下のとおりである。なお、発明の構成に実施の形態に記載の参照番号を付すが、これは一例である。
【０１１５】
この発明に従った空気調和機は、通風路（２０）を形成するダクト（２２）と、通風路（２０）に配置され、放電によりイオンを発生する針状の放電電極（４１）を有し、ダクト（２２）に着脱可能なイオン発生装置（２６）と、イオン発生装置（２６）に設けられ、放電電極（４１）を保護するためのカバー体（６１，８１，９１）とを備える。カバー体（６１，８１，９１）は、イオン発生装置（２６）がダクト（２２）から取り外されている時に放電電極（４１）を保護する第１状態と、イオン発生装置（２６）がダクト（２２）に取り付けられている時に放電電極（４１）を通風路（２０）に露出させる第２状態との間で変化可能なように設けられる。
【０１１６】
このように構成された空気調和機によれば、イオン発生装置がダクトから取り外されている時、カバー体を第１状態に変化させて放電電極を保護し、イオン発生装置がダクトに取り付けられている時、カバー体を第２状態に変化させて放電電極を通風路に露出させる。これにより、ユーザが放電電極に触れることを防ぎつつ、十分な量のイオンが送出される空気調和機を実現できる。
【０１１７】
また好ましくは、ダクト（２２）は、ダクト（２２）へのイオン発生装置（２６）の装着に連動してカバー体（６１，８１）を移動させ、カバー体（６１，８１）を第１状態から第２状態に変化させるカバー移動機構部（７１，８９）を有する。
【０１１８】
このように構成された空気調和機によれば、ダクトへのイオン発生装置の装着に際して、カバー体を自動的に第１状態から第２状態に変化させることにより、ユーザの負担を軽減できる。
【０１１９】
また好ましくは、カバー移動機構部（７１，８９）は、さらに、ダクト（２２）からのイオン発生装置（２６）の取り外しに連動してカバー体（６１，８１）を移動させ、カバー体（６１，８１）を第２状態から第１状態に変化させる。
【０１２０】
このように構成された空気調和機によれば、ダクトからのイオン発生装置の取り外しに際して、カバー体を自動的に第２状態から第１状態に変化させることにより、ユーザの負担をさらに軽減できる。
【０１２１】
また好ましくは、イオン発生装置（２６）は、放電電極（４１）が設けられ、カバー体（６１）を揺動可能に支持する外装ケース（３１）をさらに有する。カバー体（６１）は、ダクト（２２）に向けて突出する突出部（６２）を有する。カバー移動機構部は、ダクト（２２）に形成され、突出部（６２）が嵌合される溝部（７１）である。ダクト（２２）へのイオン発生装置（２６）の装着時、突出部（６２）が溝部（７１）に案内されることによって、カバー体（６１）が揺動し、第１状態から第２状態に変化する。
【０１２２】
また好ましくは、イオン発生装置（２６）は、放電電極（４１）が設けられ、カバー体（６１）を、ダクト（２２）に対するイオン発生装置（２６）の装着方向と平行な方向に沿ってスライド可能に支持する外装ケース（３１）をさらに有する。カバー移動機構部は、ダクト（２２）に設けられ、カバー体（８１）に当接する当接部（８９）である。ダクト（２２）へのイオン発生装置（２６）の装着時、カバー体（８１）が当接部（８９）に押されることによって、カバー体（８１）がスライド移動し、第１状態から第２状態に変化する。
【０１２３】
このように構成された空気調和機によれば、イオン発生装置の装着時にカバー体を自動的に第１状態から第２状態に変化させる構成を実現できる。
【０１２４】
また好ましくは、空気調和機は、カバー体（８１）に設けられるブラシ部材をさらに備える。ブラシ部材は、カバー体（８１）が第１状態と第２状態との間で変化するのに伴って放電電極と接触する。
【０１２５】
このように構成された空気調和機によれば、カバー体が第１状態と第２状態との間で変化するのに際して、放電電極がブラシ部材により自動的に清掃されるため、ユーザの負担を軽減することができる。
【０１２６】
また好ましくは、イオン発生装置は、カバー体（６１，８１）を第１状態および第２状態に保持するカバー保持機構部（５３，５４，８７，８９）をさらに備える。
【０１２７】
このように構成された空気調和機によれば、イオン発生装置がダクトから取り外されている時、カバー体をより確実に第１状態に保持し、イオン発生装置がダクトに取り付けられている時、カバー体をより確実に第２状態に保持することができる。
【０１２８】
また好ましくは、イオン発生装置は、放電電極（４１）が設けられ、ダクト（２２）とともに通風路（２０）を形成する外装ケース（３１）をさらに有する。カバー体（６１）は、第２状態において、通風路（２０）を区画形成する外装ケース（３１）の内壁と面一となるように配置される。
【０１２９】
このように構成された空気調和機によれば、イオン発生装置がダクトに取り付けられている時、通風路における通風が外装ケースにより阻害されることを防止できる。
【０１３０】
また好ましくは、第１状態におけるカバー体（６１，８１，９１）と放電電極（４１）の先端部（４１ｐ）との間の距離は、第２状態におけるカバー体（６１，８１，９１）と放電電極（４１）の先端部（４１ｐ）との間の距離よりも小さい。
【０１３１】
このように構成された空気調和機によれば、イオン発生装置がダクトから取り外されている時、カバー体を放電電極の先端部に近接させることによって、ユーザが放電電極の先端部に触れることをより確実に防ぐことができる。また、イオン発生装置がダクトに取り付けられている時、カバー体を放電電極の先端部から遠ざけることによって、カバー体が放電電極におけるイオンの発生を阻害することをより効果的に防止できる。
【０１３２】
また好ましくは、イオン発生装置（２６）は、放電電極（４１）が設けられる外装ケース（３１）と、外装ケース（３１）に回転可能に支持され、カバー体（９１）が設けられる軸部材（９２）とをさらに有する。空気調和機は、軸部材（９２）に接続され、ダクト（２２）に取り付けられたイオン発生装置（２６）をロックするための蓋部材（９６）をさらに備える。ダクト（２２）へのイオン発生装置（２６）のロック時、蓋部材（９６）の操作を通じて軸部材（９２）が回転することにより、カバー体（９１）が回転し、第１状態から第２状態に変化する。
【０１３３】
このように構成された空気調和機によれば、イオン発生装置のロック時にカバー体を自動的に第１状態から第２状態に変化させる構成を実現できる。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１３５】
この発明は、主に、空気の状態を調整し、整えるための各種の空気調和機に適用される。
【符号の説明】
【０１３６】
１２  ケーシング、１４，１６  イオン送出ユニット、２６，２６Ａ，２６Ｂ  イオン発生装置、２０  通風路、２１，２１Ａ，２１Ｂ  シロッコファン、２２，２２Ａ，２２Ｂ  ダクト、２２ｂ  表面、２３  挿入口、３１  外装ケース、３２，３３  基板収容部、３４，３５，３６  リブ状部、３８  空間、４１，４１Ａ，４１Ｂ，４１Ｃ，４１Ｄ  放電電極、４１ｐ  先端部、４２  誘導電極、５１  保護カバー用窪み部、５２  軸部、５３，５４，８７，８７ｈ，８７ｉ  保護カバー保持部、６１，６１Ａ，６１Ｂ，６１Ｃ，６１Ｄ，８１，８１Ａ，８１Ｂ，８１Ｃ，８１Ｄ，９１，９１Ｅ，９１Ｆ  電極保護カバー、６２  突出部、６３  支持部、６４，９５  貫通孔、７１，７１Ｅ，７１Ｆ  カバー移動用溝部、７３  切り欠き部、８６  カバー案内用溝部、８９，８９ｊ，８９ｋ  当接部、９０  電極保護カバーユニット、９２  回転シャフト、９６  蓋部材、９７  凸部、１００  イオン発生機。
【図１】
2015162354.tif 000003
【図２】
2015162354.tif 000004
【図３】
2015162354.tif 000005
【図４】
2015162354.tif 000006
【図５】
2015162354.tif 000007
【図６】
2015162354.tif 000008
【図７】
2015162354.tif 000009
【図８】
2015162354.tif 000010
【図９】
2015162354.tif 000011
【図１０】
2015162354.tif 000012
【図１１】
2015162354.tif 000013
【図１２】
2015162354.tif 000014
【図１３】
2015162354.tif 000015
【図１４】
2015162354.tif 000016
【図１５】
2015162354.tif 000017
【図１６】
2015162354.tif 000018
【図１７】
2015162354.tif 000019
【図１８】
2015162354.tif 000020
【図１９】
2015162354.tif 000021
【図２０】
2015162354.tif 000022
【図２１】
2015162354.tif 000023
【図２２】
2015162354.tif 000024
【図２３】
2015162354.tif 000025
【図２４】
2015162354.tif 000026
【図２５】
2015162354.tif 000027
【図２６】
2015162354.tif 000028
【図２７】
2015162354.tif 000029
【図２８】
2015162354.tif 000030
【図２９】
2015162354.tif 000031
【図３０】
2015162354.tif 000032
【図３１】
2015162354.tif 000033
【図３２】
2015162354.tif 000034
【図３３】
2015162354.tif 000035
【図３４】
2015162354.tif 000036